(57)【要約】  内燃機関用の点火装置であって、ポンピング光を供給する少なくとも１つのポンピング光源を有している。さらに、レーザパルス（２４）を形成して燃焼室内に放射するレーザ装置（２６）が設けられている。導光装置（２８）はポンピング光（６０）をポンピング光源からレーザ装置（２６）へ伝送する。レーザ活性固体（４４）および受動的Ｑスイッチ（４６）、レーザ装置（２６）の入力ミラー（４２）および取り出しミラー（４８）が全体的にモノリシックな部分（５０）として構成されることを提示する。
2008542600.tif 000002
【特許請求の範囲】
【請求項１】
殊に自動車の内燃機関（１０）用の点火装置であって、
ポンピング光（６０）を供給する少なくとも１つのポンピング光源（３０）と、
レーザパルス（２４）を形成して燃焼室（１４）内に放射するレーザ装置（２６）と、
ポンピング光（６０）をポンピング光源（３０）からレーザ装置（２６）へ伝送する導光装置（２８）とを有している形式のものにおいて、
レーザ活性固体（４４）および受動的Ｑスイッチ（４６）、有利には前記レーザ装置（２６）の入力ミラー（４２）および取り出しミラー（４８）も、全体的にモノリシックな部分（５０）として構成されている、
ことを特徴とする、内燃機関用の点火装置。
【請求項２】
前記レーザ活性固体（４４）と受動的Ｑスイッチ（４６）は相互に、密着、熱による結合または焼結プロセスによって接続されている、請求項１記載の点火装置。
【請求項３】
前記入力ミラー（４２）および／または取り出しミラー（４８）は誘電性層によって製造されている、請求項１または２記載の点火装置。
【請求項４】
前記モノリシック部分（５０）はウェハから製造されている、請求項１から３までのいずれか１項記載の点火装置。
【請求項５】
前記レーザ装置（２６）の共振器（６２）はレーザ活性固体（４４）および少なくとも１つのガラス体（６４）によって構成されている、請求項１から４までのいずれか１項記載の点火装置。
【請求項６】
前記ガラス体（６４）は、レーザ活性固体（４４）に対して直列に配置されており、レーザ活性固体（４４）よりも長い、請求項５記載の点火装置。
【請求項７】
前記ガラス体（６４）およびレーザ活性固体（４４）はモノリシックである、請求項５または６記載の点火装置。
【請求項８】
前記ガラス体（６４）は受動的Ｑスイッチ（４６）とレーザ活性固体（４４）の間に配置されており、レーザ活性固体（４４）とガラス体（６４）の間に、前記ポンピング光（６０）に対して高反射性であり、前記レーザ光（２４）に対して透過性である層（６６）が配置されている、請求項５から７までのいずれか１項記載の点火装置。
【請求項９】
反射装置（６９）、殊にガラス体が、レーザ活性固体（４４）に対して平行に配置されており、殊にレーザ活性固体を放射状に外部で取り囲んでおり、
前記反射装置（６９）は反射面（６７）を有しており、当該反射面によってポンピング光（６０）が横断的にレーザ活性固体（４４）内に反射される、請求項１から８までのいずれか１項記載の点火装置。
【請求項１０】
前記反射面（６７）は傾斜している、ないしはテーパ状である、請求項９記載の点火装置。
【請求項１１】
光学増幅器（７０）を有しており、当該光学増幅器内にポンピング光（７４）が入力され、当該光学増幅器は、前記レーザ装置（２６）に対して光学的に直列に配置されている、請求項１から１０までのいずれか１項記載の点火装置。
【請求項１２】
前記レーザ装置（２６）は第１の導光装置（２８）によって供給され、前記増幅器（７０）は第２の導光装置（７２）によって供給される、請求項１１記載の点火装置。
【請求項１３】
前記レーザ装置（２６）および増幅器（７０）は同じ導光装置（２８）によって供給される、請求項１１または１２記載の点火装置。
【請求項１４】
前記ポンピング光（７４）は、複焦点集光レンズ装置（４０）によって、前記レーザ装置（２６）と前記増幅器（７０）に分けられる、請求項１３記載の点火装置。
【請求項１５】
前記増幅器（７０）は横断的に、当該増幅器を取り囲んでいる反射装置での反射によって、殊にガラス体（６９）の反射面（６７）での反射によって供給される、請求項１１から１４までのいずれか１項記載の点火装置。
【請求項１６】
前記反射装置（６９）は、放射線方向で見て、テーパ状に先細りしている、請求項１５記載の点火装置。
【請求項１７】
前記増幅器（７０）は縦方向で、反射装置（７８）での反射によって供給される、請求項１１から１６までのいずれか１項記載の点火装置。
【請求項１８】
前記レーザ装置（２６）の受動的Ｑスイッチ（４６）および取り出しミラー（４８）は、増幅器のポンピング光（７４）の波長に対して透過性であり、
前記ポンピング光（６０）は前記レーザ装置（２６）のレーザ活性固体（４４）によって完全には吸収されず、前記増幅器（７０）は、レーザ装置（２６）の、前記導光装置（２８）の方を向いていない面に配置される、請求項１１から１７までのいずれか１項記載の点火装置。
【請求項１９】
前記増幅器（７０）は光学的に、導光装置（２８）とレーザ装置（２６）との間に配置されており、反射器（４２’）は光学的に前記受動的Ｑスイッチ（４６）の後方に配置されており、
取り出しミラー（４８’）はレーザ装置（２６）の増幅器（７０）とレーザ活性固体（４４）の間に配置されており、
ポンピング光（６０、７４）が入力される前記増幅器（７０）の領域（８２）は傾斜して構成されており、
前記増幅器（７０）は側方の取り出し面（８６）を有している、請求項１１から１８までのいずれか１項記載の点火装置。
【請求項２０】
光学的に前記Ｑスイッチ（４６）の後方に反射器（４２’）が配置されており、レーザ装置（２６）のレーザ活性固体（４４）の、Ｑスイッチ（４６）の方を向いていない面に取り出しミラー（４８’）が配置されており、
方向変換装置（８４）を有しており、当該方向変換装置は前記増幅器（７０）へ向かうようにレーザビーム（８０）を方向変換する、請求項１１から１８までのいずれか１項記載の点火装置。
【請求項２１】
レーザ装置（２６）の増幅器（７０）およびレーザ活性固体（４４）は空間的に隣接して配置されており、有利にはモノリシックである、請求項２０記載の点火装置。
【請求項２２】
増幅器（７０）の取り出し面（８６）は部分鏡面被覆部を有している、請求項１１から２１までのいずれか１項記載の点火装置。
【請求項２３】
レーザビーム（２４）に対する焦点合わせ光学素子（５２）を有しており、当該焦点合わせ光学素子は発散レンズ（５４）および集光レンズ（５６）を含み、当該発散レンズおよび集光レンズはモノリシックな部分に構成されている、請求項１から２２までのいずれか１項記載の点火装置。
【請求項２４】
前記モノリシックな部分（５２）は燃焼室窓（５８）を含んでいるまたは燃焼室窓（５８）を形成する、請求項２３記載の点火装置。
【発明の詳細な説明】
【技術分野】
【０００１】
従来技術
本発明は、請求項１の上位概念に記載された、内燃機関用の点火装置に関する。
【０００２】
ＷＯ０２/０８１９０４号から、既に、上位概念に記載された点火装置が既知である。ここでは内燃機関のシリンダにレーザ点火装置が設けられている。元来のレーザ装置は、ガラスファイバーによって形成された導光装置を介してポンピング光源と接続されている。ここでこのポンピング光源はレーザ装置を光学的にポンピングする。
【０００３】
本発明の課題は、冒頭に記載した形式の点火装置を改善し、できるだけ廉価に量産されるようにすることである。
【０００４】
上述の課題は、請求項１の特徴部分の構成を有する点火装置によって解決される。有利な実施形態は従属請求項に記載されている。
【０００５】
発明の利点
本発明に相応して設けられたモノリシック部分は、自動車において、内燃機関で生じる外部条件、例えば加速度、高温、低温並びに高い温度勾配に特に良好に耐えることができる。しかも、入力ミラーおよび取り出しミラーを固定するために、複雑でコストがかかる構造的な措置は必要ない。これによって既に製造コストが格段に下げられる。
【０００６】
さらにこのような点火装置の作動時の信用性が上がる。なぜなら個々のエレメントは、点火装置の作動に重要なその位置を、外的負荷がかかっても変えることがないからである。さらに、取り付けコストおよび取り付け時間が低減される。なぜなら、操作される別個に部分がより少なくなるからである。
【０００７】
さらにこのようなモノリシックな部分は自動で製造される。これによっても製造コストは低くなる。これは殊に、次のような場合に当てはまる。すなわち、種々異なる鏡が容易に、レーザ活性固体の終端面を相応に積層することによって製造される場合や、モノリシック部分がウェハから製造される場合である。
【０００８】
レーザ装置の共振器がレーザ活性固体のみによって形成されるのではなく、付加的にガラス体によって形成される場合に、さらにコストが低減される。このような場合には、比較的効果なレーザ活性固体が格段に小さくなる。このような場合には、個々の構造要求条件に関係なく、レーザ装置のレーザ活性固体およびＱスイッチに対してガラス体を様々に配置することができる。レーザ活性固体の周りには反射装置が例えばガラス体の形状で配置され、これによって、導光装置から入力ミラーの傍らを通って放射されるポンピング光が横断してレーザ活性固体内に入力される。これによって、非常に短く構成され、特別な入力光学素子を必要としないにもかかわらず高い効率で作用する点火装置が実現される。
【０００９】
効率は光学的な増幅器を使用することによっても上昇される。この光学増幅器は固有のポンピング光源またはレーザ装置のポンピング光源によって供給される。最初に挙げた形態によっては比較的高い出力が得られ、最後に挙げた形態は構造的に特にシンプルである。これは特に、光学増幅器およびレーザ装置がモノリシックである場合に当てはまる。このような場合にも、モノリシックユニットはレーザ装置、ガラス体、反射装置および光学増幅器から構成される。ここで反射装置は少なくとも１つの反射面を提供し、この反射面によってポンピング光はレーザ装置のレーザ活性体に向かってだけでなく、増幅器に向けても反射される。このようにして非常にコンパクトな、安定した、かつ機械的に量産可能なユニットが実現される。しかし、唯一のポンピング光源から供給されるポンピング光が複焦点レンズを通って、一方ではレーザ装置に、他方では光学増幅器に分けられることも可能である。
【００１０】
コスト低減はさらに、各光学装置をモノリシックに構成することによっても実現される。これらの光学装置を通ってレーザビームは燃焼室内に入り、燃焼室内で特定の箇所に焦点合わせされる。
【００１１】
図面
以下、本発明について、図示の特に有利な実施例を用いて詳細に説明する。
図面において：
図１は点火装置を有する内燃機関の概略図であり、
図２は図１に示された点火装置の概略図であり、
図３は図２に示された領域の拡大図であり、
図４〜２１は、図２に示された点火装置の種々の実施例であり、
図２２は図２１に示された実施例の集光レンズを前から見た図である。
【００１２】
実施例の説明
内燃機関には図１において全体として参照番号１０が付与されている。内燃機関は図示されていない自動車の駆動に用いられる。内燃機関１０は複数のシリンダを有しており、これらの複数のシリンダのうちの１つだけに図１において参照番号１２が付与されている。シリンダ１２の燃焼室１４はピストン１６によって制限される。燃料は燃焼室１４内に、直接的にインジェクタ１８を通って達する。このインジェクタは、燃料特積部（レイル）２０に接続されている。
【００１３】
燃焼室１４内に噴射された燃料２２は、レーザパルス２４によって点火される。ここでこのレーザパルスはレーザ装置２６を有する点火装置２７によって燃焼室１４内に放射される。このためにレーザ装置２６には導光装置２８を介してポンピング光が供給される。このポンピング光はポンピング光源３０によって供給される。ポンピング光３０は制御および調整装置３２によって制御される。これは、インジェクタ１８も駆動制御する。
【００１４】
図２からわかるように、ポンピング光源３０は種々異なるレーザ装置２６のための複数の導光装置２８に供給する。このために、ポンピング光源は複数の個別光源３４を有している。これらの個別光源はパルス電流供給部３６と接続されている。
【００１５】
レーザ装置２６はハウジング３８を有している。このハウジング内には、ポンピング光の方向で見て、まずはレンズ４０、次に入力ミラー４２が配置されており、続いてレーザ活性固体４４、受動的Ｑスイッチ４６および取り出しミラー４８が配置されている（図４〜７も参照されたい）。部材４２〜４８は全体としてモノリシックな部分５０として構成されている。図２では取り出しミラー４８の左側に焦点合わせ光学素子５２が設けられている。この光学素子は、図３から明らかであるように、ビーム拡散のための凹状の入射面（発散レンズ）５４並びに、焦点合わせのための凸状の出射面（集光レンズ）５６を有するモノリシックな部分として構成されている。焦点合わせ光学素子５２は有利には非球面に構成されている。さらに燃焼室窓５８が設けられている。しかしこれは有利には、焦点合わせ光学素子５２と一体的に構成されている。
【００１６】
次に、図４〜７に基づいて、レーザ装置２６の種々の基本的な構成を説明する。分かりやすくするために、これまでに説明した実施形態の部材および領域と同等の機能を有する部材および領域には同じ参照番号を用いる。ここで、図４に示された実施例は、図２で縮小して示された装置に相当する。図５に示された装置は非常に類似しているが、ポンピング光６０が導光装置２８から僅かに拡散されて流出し、入力ミラー４２に入射する。図６の構成ではポンピング光が６０を通って、レーザ活性固体４４の入力ミラー４２に集光され、図７の構成ではグリンレンズ４０を通って、レーザ活性固体４４の入力ミラー４２に集光される。これによってポンピング光６０の最適なビーム密度が調整され、損失されるポンピング光が少なくなる。さらに光学的にクリチカルな、レーザ活性固体４４の縁部領域が残される。
【００１７】
レーザ装置２６の基本的な作用は以下の通りである：ポンピング光６０は導光装置２８を離れ、ポンピング光６０の波長に対して透過性である入力ミラー４２を通って、スタブ状のレーザ活性固体４４内に入る。ここでポンピング光６０は吸収され、これによって反転分布が生じる。受動的Ｑスイッチ４６の高い損失によってレーザ発振が回避される。
ポンピング持続時間が長引くにつれて、共振器６２内部のビーム密度が上昇する。ある程度のビーム密度から、受動的Ｑスイッチ４６はフェージングを始め、増幅は共振器６２内の全体喪失を越え、レーザは発振し始める。
【００１８】
このようにして、「Ｑスイッチパルス（Riesenpuls）」２４、すなわち非常に高いピーク出力を有するパルスが生じる。これは典型的に数ナノ秒の持続時間の間に数メガワットになる。このための前提条件は、入力ミラー４２がレーザ光２４の波長に対して高反射性であるが、取り出しミラー４８はレーザ光２４の波長に対して部分的に反射性であること、並びに受動的Ｑスイッチ４６がある程度の初期伝導率を有していることである。
【００１９】
図４〜７に示されたレーザ装置２６は非常に容易に構成され、従って廉価である。レーザ活性固体４４とＱスイッチ４６との間の接続は、有利には密着または熱による結合によって行われる。入力ミラー４２および取り出しミラー４８は同じように、レーザ活性固体４４ないしはＱスイッチ４６の軸方向終端面を積層することによって製造される。
【００２０】
他の原理が図８および９に示されている：ここでは、レーザ装置２６の共振器６２はレーザ活性固体４４とガラス体６４との組み合わせによって構成されている。これは、レーザ活性固体４４の長さを比較的短くすることを可能にする。これによって製造コストが低減される。さらなる重要な利点はｓ、より長くなった共振器によって、レーザ装置のビームの質が改善されることである。さらに、特別なガラスの屈折率およびガラス体の長さによって、Ｑスイッチパルスのパルス持続時間を制御することができる。しかし、このための前提条件は、ポンピング光が、レーザ活性固体４４が短いのにもかかわらず、レーザ活性固体内に完全に吸収されることである。図８に示されたレーザ装置２６では、Ｑスイッチ４６はレーザ活性固体４４とガラス体６４の間に配置されており、取り出しミラー４８はガラス体６４の軸方向自由終端面に被着されている。これに対して、図９に示されたレーザ装置２６ではガラス体６４はＱスイッチとレーザ活性固体４４との間に配置されており、取り出しミラー４８は、図４〜７の実施例でのように、Ｑスイッチ４６の軸方向終端面上に被着されている。この場合には付加的に、レーザ活性固体４４とガラス体６４との間に、ポンピング光６０に対して高反射性であるが、レーザ光２４に対しては透過性である層６６が設けられている。従ってレーザ活性固体４４の軸方向長さに亘ってまだ吸収されていないポンピング光６０がこの中に反射して戻される。
【００２１】
図１０に記載された実施形態ではレンズが省かれている。その代わりに、レーザ活性固体４４の傍らを通って放射されるポンピング光が反射装置に放射される。この反射装置は、これをスリーブの形状で取り囲むガラス体６９として構成される。場合によってはミラー層が設けられている、その放射状に外部に位置する反射面６７でポンピング光６０は放射線６０ａによって示されているように、反射によって再びレーザ活性固体４４に向けて反射され、レーザ活性固体内に横断的に（transversal）入力される。ミラー層は特に次のような場合に省かれる。すなわち、ガラス体６９が外部に向けて放射状に、他の媒体に対して光学的なコンタンクトを有していない場合である。別の場合には、ミラー層６７は容易に接着材料によっても実現可能であり、この接着材料によってガラス体６９は別の体に接着される。この場合には、ガラス体６９ないし反射面６７が円筒状の外郭のみでなく、テーパ状に先細りする外郭または湾曲された外郭を有することもできる、ということを理解されたい。
【００２２】
図１１に示された実施形態でも、レーザ活性固体４４の放射状外部に反射装置がガラス体６９の形状で配置されている。その放射状の内部の境界面はしかし、Ｑスイッチ４６の領域内でのみ接している。これに対してレーザ活性固体４４の放射状の外部の領域では、反射面６７がテーパ状に構成されており、ミラー層６８が設けられている。ここでも、レーザ活性固体４４内に入力ミラー４２を通じて縦方向に入力されないポンピング光（例えば放射線６０ａおよび６０ｂ）が反射され、横断的にレーザ活性固体４４内に入力される。このような装置の取り出されるエネルギーは特に高い。なぜなら、レーザ活性固体４４の大きい体積がポンピングされるからである。択一的に、ガラス体６９の代わりに、金属体も使用可能である。この金属体には反射性の、例えば研磨された反射面が設けられる。導光装置２８とレーザ装置２６との間の空間を透明な注型コンパウンドで満たすことも可能である。
【００２３】
図８〜１１に示された装置では、ガラス体６４ないし６９にレーザ装置２６が固定的に接続されており、その点においてはモノリシック部分５０の構成部分である。
【００２４】
図１２〜２１には再び、レーザ装置２６の別の形態が示されている：ここでは光学的にレーザ装置２８と直列に、光学的増幅器７０が設けられている。
【００２５】
図１２では、実質的にレーザ活性固体によって形成されている光学的増幅器７０は、レーザ装置２６のレーザ活性固体４４に対して同軸状に配置されている、光学的増幅器７０はここで固有のポンピング光源（図示されていない）を有しており、このポンピング光源はポンピング光７４を固有の導光装置７２を介して光学的増幅器７０に供給する。ここでポンピング光７４は縦方向で光学的増幅器７０内に入力される。これはポンピング光がレンズ７６および２つの方向変換ミラー７８ａおよび７８ｂを通って、Ｑスイッチ４６の方を向いている、光学的増幅器７０の端面７９に放射されることによって行われる。レーザ装置２６のレーザ活性固体４４と光学的増幅器７０との間に配置されたミラー７８ｂはポンピング光７４の波長に対して高反射性であるが、レーザ装置２６から増幅器７０に放射されるレーザ光り８０に対しては透過性である。
【００２６】
図１３に示された実施形態は同様に作用し、ここでレーザ装置２６と光学的増幅器７０はこのような場合にモノリシックである。これを実現するために、ポンピング光７４が導光装置７２から光学的増幅器７０内に、「背面から」ポンピングして入力される。すなわち、増幅されたレーザビーム２４が流出する端面にポンピング入力される。これは次のことを意味する。すなわちミラー７８ｂがポンピング光７４に対して高反射性であるが、レーザパルス２４に対しては透過性であることを意味する。
【００２７】
図１４は別の実施形態を示す：ここではレーザ光８０が光学的増幅器７０を複数回通過する。有利には光学的増幅器７０のドーピングは次のように選択される。すなわち、ポンピング光７４のエネルギーが光学的増幅器７０の終端ではじめて完全に吸収されるように選択される。レーザ光８０が光学的増幅器７０内を複数回通過することは次のことによって実現される。すなわち、レーザビーム８０が光学的増幅器７０の軸方向終端面７９に垂直に入射するのではなく、傾斜して入射することによって実現される。このために、光学的増幅器７０の長手軸は、レーザ活性固体４４のそれに対して傾斜されている。この装置のさらなる利点は、ポンピング光７４を光学増幅器７０内に入力させるために、方向変換ミラー７８が１つだけ必要であり、場合によっては方向変換ミラーが必要ない、ということである。
【００２８】
図１５〜２１には、光学的増幅器７０が設けられているが、付加的な導光装置が省かれる実施形態が示されている。図１５に示された装置は図１０に示された装置と類似している。しかし、光学軸の方向から見て、取り出しミラー４８を伴うＱスイッチ４６の直後に光学増幅器７０が配置されている。ガラス体６９の形状のスリーブ状の反射装置は同じように、レーザ活性固体４４から、Ｑスイッチ４６からおよび光学増幅器７０から放射状に外側へ延在している。
【００２９】
このスリーブ状のガラス体６９の直径は次のように選択される。すなわち、導光装置２８から流出し、レーザ装置２６のレーザ活性固体４４の入力ミラー４２の傍らを通過して放射されたポンピング光７４ａ、７４ｂおよび７４ｃが、場合によっては反射面が設けられている、スリーブ状ガラス体６９の放射状外部反射面で反射され、光学増幅器７０内に横断的に入力されるように選択される。
【００３０】
このような場合にはレーザ装置２６、光学増幅器７０およびガラス体６９は全体で、モノリシックな部分として構成される。図１６に示された装置は同じように構成されているが、全体的に短い。なぜなら放射状に外部に位置する、ガラス体６９の周辺領域は、放射方向で見て、テーパ状に先細りしているからである。
【００３１】
図１７に示された装置も、図１４に示された装置と同じように構成されている。しかしレーザ装置２６は、導光装置２８の軸に対して僅かにオフセットされて配置されている。さらにミラー７８は集光ミラーとして構成される。この集光ミラーは導光装置２８から発散して流出するポンピング光７４を、光学増幅器７０の軸方向入射面７９に集める。
【００３２】
図１８は非常にシンプルな構造を示している：ここでは、光学増幅器７０は直接的にＱスイッチ４６ないしはＱスイッチ上に設けられた取り出しミラー４８に接し、ポンピング光（参照番号無し）によってポンピングされる。このポンピング光は導光装置２８から、レーザ活性固体４４を通過する。すなわちレーザ活性固体によって完全には吸収されない。これは次のことを意味している。すなわちＱスイッチ４６が光学増幅器７０に対するポンピング光の波長に対して透過性であり、取り出しミラー４８も光学増幅器７０に対するポンピング光の波長に対して透過性でなければならないことを意味している。さらに光学増幅器７０に対するポンピング光が有するビームの開きは僅かであるべきである。ここでも増幅器７０はモノリシック部分５０の一部である。
【００３３】
図１９に示された装置では同じように、光学増幅器７０に対するポンピング光７４は導光装置２８から直接的に光学増幅器７０に達する。レーザ装置２６のレーザ活性媒体４４に対するポンピング光６０は光学増幅器７０を通って、その後はじめてレーザ活性固体４４に達する。ミラー４２’および４８’は相応に構成されている。導光装置２８の方を向いている、光学増幅器７０の軸方向終端面７９は傾斜して構成されており、ポンピング光６０および７４に対して透過性であるが、レーザビーム２４の波長に対しては反射性であるミラー層８４が設けられている。このようにして、レーザ活性固体４４から光学増幅器７０内に放射されるレーザビーム８０が傾斜して反射され、レーザビーム２４として傾斜して光学増幅器７０から出射する。
【００３４】
図２０に示された装置はさらに高い効率を有している。ここでは、導光装置２８から流出したポンピング光６０は複焦点フレネルレンズ４０によって集光され、２つの分かれたビームの形状でミラー装置８４を通過して、レーザ活性固体４４および空間的にレーザ活性固体の隣に配置されている光学増幅器７０に放射される。ここでレーザ装置２６のレーザ活性固体４４および光学増幅器７０のレーザ活性固体は一体的にモノリシック部分５０として構成されている。ミラー装置８４は相互に、直角に位置する２つのミラー面８４ａおよび８４ｂを含んでいる。これらのミラー面は、導光装置２８から流出するポンピング光に対して透過性であるが、レーザ装置２６のレーザ活性固体４４から流出するレーザ光８０に対しては反射性である。このようにして、レーザ装置２６から流出するレーザビーム８０は、逆方向に、側方へおよび光学増幅器７０に戻るように方向転換される。
【００３５】
図２１に示された装置は同じように作動する。ここではレーザ装置２６のレーザ活性固体４４および光学増幅器７０は別個の構成部分として構成され、ここではポンピング光６０、７４は回転対称でない、図２２に相応して２つのレンズ中心４０ａおよび４０ｂを有する複焦点集光レンズ４０によって生成される。図２１に示された装置は、図２０に示された装置と同じように次の利点を有している。すなわち、１つの導光装置２８のみが必要とされ、レーザ装置２６および光学増幅器７０は縦方向にポンピングされ、相応の高い効率を有しており、レーザビーム２４は軸方向に出射し、全体的な寸法が比較的小さいという利点を有している。
【００３６】
レーザ装置２６が光学増幅器７０と結合されている図１２〜２１に示された装置を、付加的にガラス体６４が設けられている図８〜１１に示された実施形態と組み合わせることが可能であることを理解されたい。さらに、図示はされていないとしても、光学増幅器７０の取り出し面（例えば図２０における面８６）に部分鏡面被覆部(Teilverspiegelung)が設けられ、これによって「結合された共振器」を実現することが可能である。このようにして、光学増幅器７０を部分的に複数回通過することが可能になる。
【図面の簡単な説明】
【００３７】
【図１】点火装置を有する内燃機関の概略図
【図２】図１に示された点火装置の概略図
【図３】図２に示された領域の拡大図
【図４】図２に示された点火装置の種々の実施例
【図５】図２に示された点火装置の種々の実施例
【図６】図２に示された点火装置の種々の実施例
【図７】図２に示された点火装置の種々の実施例
【図８】図２に示された点火装置の種々の実施例
【図９】図２に示された点火装置の種々の実施例
【図１０】図２に示された点火装置の種々の実施例
【図１１】図２に示された点火装置の種々の実施例
【図１２】図２に示された点火装置の種々の実施例
【図１３】図２に示された点火装置の種々の実施例
【図１４】図２に示された点火装置の種々の実施例
【図１５】図２に示された点火装置の種々の実施例
【図１６】図２に示された点火装置の種々の実施例
【図１７】図２に示された点火装置の種々の実施例
【図１８】図２に示された点火装置の種々の実施例
【図１９】図２に示された点火装置の種々の実施例
【図２０】図２に示された点火装置の種々の実施例
【図２１】図２に示された点火装置の種々の実施例
【図２２】図２１に示された実施例の集光レンズを前から見た図
【図１】
2008542600.tif 000003
【図２】
2008542600.tif 000004
【図３】
2008542600.tif 000005
【図４】
2008542600.tif 000006
【図５】
2008542600.tif 000007
【図６】
2008542600.tif 000008
【図７】
2008542600.tif 000009
【図８】
2008542600.tif 000010
【図９】
2008542600.tif 000011
【図１０】
2008542600.tif 000012
【図１１】
2008542600.tif 000013
【図１２】
2008542600.tif 000014
【図１３】
2008542600.tif 000015
【図１４】
2008542600.tif 000016
【図１５】
2008542600.tif 000017
【図１６】
2008542600.tif 000018
【図１７】
2008542600.tif 000019
【図１８】
2008542600.tif 000020
【図１９】
2008542600.tif 000021
【図２０】
2008542600.tif 000022
【図２１】
2008542600.tif 000023
【図２２】
2008542600.tif 000024
【国際調査報告】
2008542600.tif 000025
2008542600.tif 000026
2008542600.tif 000027
2008542600.tif 000028
2008542600.tif 000029
2008542600.tif 000030